(57)【要約】【課題】本考案は、超薄型コード引っ張り・巻き取り器を提供する。【解決手段】ケースと、スパイラルスプリングと、ディスクスプリングと、コードと、コードリールとによって構成する。前記ディスクスプリングには、スプリング溝カバーによってスパイラルスプリングが設けられる。前記ディスクスプリングの中孔は前記ケースの固定柱に貫設され、回転する際の中心点となり、ディスクスプリング自体はチェーンリング構造であり、ディスクスプリングの周縁には、コードリールと相互に噛み合うギアが設けられ、前記コードリール自体もチェーンリング構造になっており、コードリールの周縁には、ディスクスプリングと相互に噛み合うギアが設けられ、前記コードリールの中心柱には、コードが巻きつけられ、コードリールの中心柱は、コードリールが回転する際の中心点になる。【選択図】図１
0003166098.tif 000002
【実用新案登録請求の範囲】
【請求項１】
ケースと、スパイラルスプリングと、ディスクスプリングと、コードと、コードリールとによって構成する超薄型コード引っ張り・巻き取り器であって、
前記ディスクスプリングには、スプリング溝カバーによってスパイラルスプリングが設けられ、スパイラルスプリングは、ディスクスプリングの内部で巻かれた状態になり、スパイラルスプリングは、ディスクスプリングの正方向への回転、或いは逆方向への回転に伴って、きつく巻かれた状態、或いは緩んだ状態になり、
前記ディスクスプリングの中孔は前記ケースの固定柱に貫設され、回転する際の中心点となり、ディスクスプリング自体はチェーンリング構造であり、ディスクスプリングの周縁には、コードリールと相互に噛み合うギアが設けられ、
前記コードリールは、ディスクスプリングと相互に噛み合う構造になっており、コードリール自体もチェーンリング構造になっており、コードリールの周縁には、ディスクスプリングと相互に噛み合うギアが設けられ、前記コードリールの中心柱には、コードが巻きつけられ、コードリールの中心柱は、コードリールが回転する際の中心点になることを特徴とする、超薄型コード引っ張り・巻き取り器。
【請求項２】
前記スパイラルスプリングの内端は、ケースの固定柱をもつ嵌合溝に嵌合され、前記スパイラルスプリングの外端は、ディスクスプリングのスプリング溝カバーの周縁に設けられた挟み溝に嵌合されることを特徴とする、請求項１に記載の超薄型コード引っ張り・巻き取り器。
【請求項３】
前記ディスクスプリングの底部には、複数の機能をもつレールが設けられ、位置決め玉が、ケース内部の位置限定溝に対応するとともに、レール内にも対応することを特徴とする、請求項１に記載の超薄型コード引っ張り・巻き取り器。
【請求項４】
正極、負極の導電片を正方向、反対方向の入れ子部材に常に接触させ、コードのコネクターの一端を正方向、反対方向の入れ子部材に接続し、コードのもう一つのコネクターの一端を、正極、負極の導電片に接続し、コードの一端のコネクターを引っ張り出し・巻き取りを行うための接続端子とし、もう一つのコネクターを固定出力端子とすることにより、前記コードは単一方向單接頭多段式引っ張り出し巻き取り方式を構成することを特徴とする、請求項１に記載の超薄型コード引っ張り・巻き取り器。
【請求項５】
単一のコードの両端にそれぞれコネクターを設け、コードの中心点の折り曲げ部をコードリールの中心柱に嵌合させ、コードをコードリール上に平らに巻くことにより、前記コードは単一方向ダブルコネクター多段式引っ張り出し巻き取り方式を構成することを特徴とする、請求項１に記載の超薄型コード引っ張り・巻き取り器。
【考案の詳細な説明】
【技術分野】
【０００１】
本考案は超薄型コード引っ張り・巻き取り器に関し、特に、従来の電源コードや信号送信コードを巻き取る方法の問題を解決し、超薄型式の「単一方向単一コネクター多段式引っ張り出し巻き取り方式」と、「単一方向ダブルコネクター多段式引っ張り出し巻き取り方式」の二種類の異なる方式を採用し、巻き取り器を直接外部から接続して、各種コンピューター、通信、家電やその周辺機器及びコード付きのイヤホンが必要とする電源コードや信号送信コードの領域に適用することができ、実用性に最も優れた超薄型内蔵式コード巻き取り器に関する。
【背景技術】
【０００２】
現在のコンピューター、通信、家電の各種製品や、その周辺機器、及び、コード付きのイヤホンに配置されたデータ転送コード或いは電源供給コードは、複数本同時に使われることが多い。このため、長い間、「配線とコードの整理」の問題があり、使用者は頭を悩ませている。特に、見た目の問題としても、コードがからまったり、コードが長すぎたり短すぎたりするという各種問題は、非常に不便であり影響が大きい。
【０００３】
前述した問題とニーズに基づき、現在、市場では、コード巻き取り器が登場している。このコード巻き取り器は、コードリールの一面にスパイラルスプリングを設けるとともに、コードリールの他面にコードを設け、スパイラルスプリングの力を利用してコードを巻き取って元の位置に戻す構造により、コードの引っ張り出しと巻き取り能力を達成している。しかしながら、この種のコード巻き取り器は、コードとスパイラルスプリングの二つの部材を連結させ重ね合わせるという厚みのある構造になっており、体積をできるだけ小型化させることは可能であるものの、超薄型のニーズに答えることはできない。従って、この種のコード巻き取り器は、使用する際、完全に技術的な制限を受けるため、ほとんどは薄型でない製品（例えば、マウス、イヤホンコード或いはパソコンのコード等）に適用されている。
【考案の概要】
【考案が解決しようとする課題】
【０００４】
そこで、本考案は、超薄型コード引っ張り・巻き取り器を提供することを目的とする。
【課題を解決するための手段】
【０００５】
本考案による超薄型コード引っ張り・巻き取り器は、ケースと、スパイラルスプリングと、ディスクスプリングと、コードと、コードリールとによって構成する。前記ディスクスプリングには、スプリング溝カバーによってスパイラルスプリングが設けられ、スパイラルスプリングは、ディスクスプリングの内部で巻かれた状態になり、スパイラルスプリングは、ディスクスプリングの正方向への回転、或いは逆方向への回転に伴って、きつく巻かれた状態、或いは緩んだ状態になり、前記ディスクスプリングの中孔は前記ケースの固定柱に貫設され、回転する際の中心点となり、ディスクスプリング自体はチェーンリング構造であり、ディスクスプリングの周縁には、コードリールと相互に噛み合うギアが設けられ、前記コードリールは、ディスクスプリングと相互に噛み合う構造になっており、コードリール自体もチェーンリング構造になっており、コードリールの周縁には、ディスクスプリングと相互に噛み合うギアが設けられ、前記コードリールの中心柱には、コードが巻きつけられ、コードリールの中心柱は、コードリールが回転する際の中心点になる。
【図面の簡単な説明】
【０００６】
【図１】本考案の実施例１の外観を示した斜視図である。
【図２】本考案の実施例１の全ての構成部材とその構造を示した分解図である。
【図３】本考案の構造を示した底面図である。
【図４】本考案の全体の構造を示した断面図である。
【図５】図４の一部の構造を示した拡大図である。
【図６】本考案の実施例２の外観を示した斜視図である。
【図７】本考案の実施例２の全ての構成部材とその構造を示した分解図である。
【考案を実施するための形態】
【０００７】
（実施例１及び実施例２）
まず、図１から図３と図７を参照する。本考案による超薄型コード引っ張り・巻き取り器は、ケース１と、スパイラルスプリング２と、ディスクスプリング３と、コード４と、コードリール５とによって構成する。ディスクスプリング３には、スプリング溝カバー３１によってスパイラルスプリング２が設けられ、スパイラルスプリング２は、ディスクスプリング３の内部で巻かれた状態になる。また、スパイラルスプリング２の内端２１は、ケースの固定柱１１をもつ嵌合溝１１１内に嵌合され、スパイラルスプリング２の外端２２は、スプリング溝カバー３１の周縁に設けられた挟み溝３２に嵌合される。それにより、スパイラルスプリング２は、ディスクスプリング３の正方向への回転、或いは逆方向への回転に伴って、きつく巻かれた状態、或いは緩んだ状態になる。また、ディスクスプリング３の中孔３３は前記ケースの固定柱１１に貫設され、回転する際の中心点となる。なお、ディスクスプリング３自体はチェーンリング構造であり、その周縁には、コードリールと相互に噛み合うギア３４が設けられている。
【０００８】
同じく、図３と図７を参照する。ディスクスプリング３とコードリール５は、相互に噛み合う構造になっている。また、コードリール５自体もチェーンリング構造になっており、その周縁には、ディスクスプリング３と相互に噛み合うギア５１が設けられている。また、コードリール５の中心柱５２には、コード４が巻きつけられ、コードリール５の中心柱５２は、コードリール５が回転する際の中心点になる。そして、ディスクスプリング３が回転すると、ディスクスプリング３の内部に設けられたスパイラルスプリング２も連動し、コードが引っ張りだされた際或いは巻き取られた際の位置決め機能を発揮し、それがコードリール５に伝わり、コードリール５によってコード４が直接制御され、引っ張り出し、巻き取り、位置決めの三つの機能を達成することができる。
【０００９】
上述した本考案の基礎理論とフレームワークに基づき、本考案の位置決めのメカニズムは、図３に示すように、ディスクスプリング３の底部に設けられた複数の機能をもつレール３５と、ケース１内部に設けられる位置限定溝６１とを、相互に機能させることにより達成される。ディスクスプリング３の底部には、複数の機能をもつレール３５が設けられ、位置決め玉６と完全に組み合わせることができるため、コードリール５のコード４が引っ張り出される、或いは巻き取られた際に、ディスクスプリング３は、正方向、逆方向に回転し、それと同時に、位置決め玉６とレール３５と位置限定溝６１の三者が、相互に嵌合したり、その嵌合が外れたりを順番に繰り返す。また、位置決め玉６は、位置限定溝６１内で、上、下に移動を繰り返して位置決めが行われる。コードリール５のコード４を引っ張り出した時、コードリール５が回転してディスクスプリング３を連動させ、スパイラルスプリング２がコード４を元に戻す運動エネルギーを貯め始める。そして、コード４を巻き取る際に、そのディスクスプリング３は、スパイラルスプリング２が反対方向に自分で回転する力によって回転し、それに連動したコードリール５が引っ張り出されたコード４を巻き取る。また、コード４は、コードリール５を一回転させて（即ち、ディスクスプリング３を一回転させるのと同義）引っ張り出すたびに、毎回一度位置決め機能が生じ、コード４の引っ張り出した長さが、今回の回転の位置決め機能を超えた場合、もう一度回転させることにより次の位置での位置決めをすることができる。このようにして、コード巻き取り装置は、多段式の位置決めを行うことができる。
【００１０】
続けて、図２と図７を参照する。本考案によるコード４はコードリール５に巻き、単一方向単一コネクター多段式引っ張り出し巻き取り方式と、単一方向ダブルコネクター多段式引っ張り出し巻き取り方式の二種類の方式を構成させることができる。
【００１１】
図２に示すように、単一方向単一コネクター多段式引っ張り出し巻き取り方式は、正方向、反対方向の入れ子部材４３を、それぞれコネクター４２の一端に接続し、正方向、反対方向の入れ子部材４３を中心位置決め軸とする。そして、正極、負極の導電片４１を、正方向、反対方向の入れ子部材４３に常に接触させることにより、正極、負極の導電片４１の導通が行われる。また、図１、図４、図５に示すように、もう一つのコネクター４４の一端は、同様に、正極、負極の導電片４１に接続する。この方式において、コネクター４２は、引っ張り出し・巻き取りを行うための接続端子となり、もう一つのコネクター４４は、固定出力端子となる。以上により、単一方向単一コネクター多段式引っ張り出し巻き取り方式が構成される。
【００１２】
図７に示すように、単一方向ダブルコネクター多段式引っ張り出し巻き取り方式は、完全なコード４の中心点の位置を折り曲げて中心点折り曲げ部４５を形成させ、コードリールの中心柱５２に嵌合させる。それにより、折り曲げた後のダブルコネクター４６の単一のコード４は、コードリール５に平らに巻きつけることができる。以上によって、図６に示すように、単一方向ダブルコネクター多段式引っ張り出し巻き取り方式が構成される。              
【符号の説明】
【００１３】
１      ケース
１１    固定柱
１１１  嵌合溝
２      スパイラルスプリング
２１    内端
２２    外端
３      ディスクスプリング
３１    スプリング溝カバー
３２    挟み溝
３３    中孔
３４    ギア
３５    レール
４      コード
４１    正極、負極の導電片
４２    コネクター
４３    入れ子部材
４４    もう一つのコネクター
４５    中心点折り曲げ部
４６    ダブルコネクター
５      コードリール
５１    ギア
５２    中心柱
６      位置決め玉
６１    位置限定溝
【図１】
0003166098.tif 000003
【図２】
0003166098.tif 000004
【図３】
0003166098.tif 000005
【図４】
0003166098.tif 000006
【図５】
0003166098.tif 000007
【図６】
0003166098.tif 000008
【図７】
0003166098.tif 000009